(57)【要約】【課題】ガイドピンに必要なストロークと剛性を確保しながらも、ケースを短く形成することにより、床材の厚さの範囲に収まる浅い埋め込み孔で設置することができる吊り戸のガイド装置を提供すること。【解決手段】床２に配設されるケース３と、このケース３に上方に突出可能に収納されたガイドピン４とを備え、このガイドピン４を突出させて吊り戸本体５の走行溝５１に挿入することによりガイドを行う吊り戸の下部振止部材において、ガイドピン４を複数段の入れ子状の筒体６、７により形成する。【選択図】図２
2005002770.tif 000002
【特許請求の範囲】
【請求項１】
床に配設されるケースと、該ケースに上方に突出可能に収納されたガイドピンとを備え、該ガイドピンを突出させて吊り戸本体の走行溝に挿入することによりガイドを行う吊り戸の下部振止部材において、前記ガイドピンを複数段の入れ子状の筒体により形成したことを特徴とする吊り戸の下部振止部材。
【請求項２】
最中心部に位置するガイドピンを除くガイドピン及びケースの内周部の対向する２箇所に縦方向の有端のスリット溝を形成し、該スリット溝に、ガイドピンの外周部の対向する２箇所に形成した摺動突起を嵌入するようにしたことを特徴とする請求項１記載の吊り戸の下部振止部材。
【請求項３】
ガイドピンを、ケースに対して偏心して配設したことを特徴とする請求項１又は２記載の吊り戸の下部振止部材。
【請求項４】
ケースを、アウター部材を介して、床に設置するようにしたことを特徴とする請求項１、２又は３記載の吊り戸の下部振止部材。
【請求項５】
ケースの外周面及びアウター部材の内周面の平面形状を正多角形に形成したことを特徴とする請求項４記載の吊り戸の下部振止部材。
【発明の詳細な説明】
【技術分野】
【０００１】
本発明は、吊り戸の下部振止部材に関し、特に、ガイドピンに必要なストロークと剛性を確保しながらも、ケースを短く形成することにより、浅い埋め込み孔で設置することができる吊り戸のガイド装置に関するものである。
【背景技術】
【０００２】
例えば、特許文献１に開示されるように、天井レールにランナーを介して走行自在に吊り下げられた吊り戸に対し、床に磁力にて突出可能に設けられたガイドピンが、吊り戸本体の下端面に形成された走行溝にその突出状態で挿入されて走行ガイドを行う吊り戸の下部振止部材が知られている。
この吊り戸の下部振止部材は、床に配設されるケースと、該ケースに上方に突出可能に収納されたガイドピンとを備え、該ガイドピンを突出させて吊り戸本体の走行溝に挿入することによりガイドを行うようにしている。
そして、この吊り戸の下部振止部材では、吊り戸本体の下端面の走行溝の両端部に磁石を取り付ける一方、ガイドピンの上部にも磁石を設け、吊り戸本体が移動して、これらの磁石同士が引き合うことにより、下部振止部材のガイドピンが上方に突出し、吊り戸本体の走行溝に自動的に挿入される。
【０００３】
しかしながら、上記従来の吊り戸のガイド装置は、ケースに棒状のガイドピンを収納した構成であるため、吊り戸本体をガイドする際の強度を確保するために、一定以上のストロークでガイドピンを突出させ、走行溝内に挿入された際の挿入深さを確保する必要があり、さらに、突出したガイドピンをケースに確実に保持させる必要があるため、突出した状態での埋め込み深さを確保しなければならない。
このため、棒状のガイドピンが一定以上の長さにならざるを得ず、それを収容するケースが縦方向に長くなり、これにより、床にその縦方向の長さの深い埋め込み孔を形成する必要が生じ、例えば、鉄筋コンクリートの建物の床などに設置する場合には、床スラブ等が障害となって、このような深い埋め込み孔を形成することが困難となり、下部振止部材を設置することに困難をきたすという問題があった。
【特許文献１】特開平１１−７１９５４号公報
【発明の開示】
【発明が解決しようとする課題】
【０００４】
本発明は、上記従来の吊り戸の下部振止部材が有する問題点に鑑み、ガイドピンに必要なストロークと剛性を確保しながらも、ケースを短く形成することにより、床材の厚さの範囲に収まる浅い埋め込み孔で設置することができる吊り戸のガイド装置を提供することを目的とする。
【課題を解決するための手段】
【０００５】
上記目的を達成するため、本発明の吊り戸の下部振止部材は、床に配設されるケースと、該ケースに上方に突出可能に収納されたガイドピンとを備え、該ガイドピンを突出させて吊り戸本体の走行溝に挿入することによりガイドを行う吊り戸の下部振止部材において、前記ガイドピンを複数段の入れ子状の筒体により形成したことを特徴とする。
【０００６】
この場合において、最中心部に位置するガイドピンを除くガイドピン及びケースの内周部の対向する２箇所に縦方向の有端のスリット溝を形成し、該スリット溝に、ガイドピンの外周部の対向する２箇所に形成した摺動突起を嵌入するようにすることができる。
【０００７】
また、ガイドピンを、ケースに対して偏心して配設することができる。
【０００８】
また、ケースを、アウター部材を介して、床に設置することができる。
【０００９】
この場合において、ケースの外周面及びアウター部材の内周面の平面形状を正多角形に形成することができる。
【発明の効果】
【００１０】
本発明の吊り戸の下部振止部材によれば、ガイドピンを複数段の入れ子状の筒体により形成することから、ガイドピンに必要なストロークと剛性を確保しながらも、ケースを短く形成することができ、これにより、床材の厚さの範囲に収まる浅い埋め込み孔でも設置できるようになり、床スラブが障害となるような建物の床にでも下部振止部材を容易に設置することができる。
【００１１】
また、最中心部に位置するガイドピンを除くガイドピン及びケースの内周部の対向する２箇所に縦方向の有端のスリット溝を形成し、該スリット溝に、ガイドピンの外周部の対向する２箇所に形成した摺動突起を嵌入するようにすることにより、簡易な機構により、複数段の入れ子状の筒体により形成したガイドピンの昇降を円滑に行うことができる。
【００１２】
また、ガイドピンを、ケースに対して偏心して配設することにより、ケースを設置する際に、ケースを回転することによって、ガイドピンの吊り戸に対する位置を調整することができる。
【００１３】
また、ケースを、アウター部材を介して、床に設置することにより、ケースを床に一旦設置した後でも、アウター部材内でケースを回転することが可能となり、ケースの設置状態が緩むことなく、ガイドピンの吊り戸本体の走行溝に対する位置調整を、容易に、かつ何度でも行うことができる。
【００１４】
また、ケースの外周面及びアウター部材の内周面の平面形状を正多角形に形成することにより、アウター部材とケースとの位置関係を正確に保持することができ、ケースの設置状態が緩むことなく、ガイドピンの吊り戸本体の走行溝に対する位置調整を、容易に、かつ何度でも行うことができる。
【発明を実施するための最良の形態】
【００１５】
以下、本発明の吊り戸の下部振止部材の実施の形態を図面に基づいて説明する。
【実施例１】
【００１６】
図１〜図２に、本発明の吊り戸の下部振止部材の第１実施例を示す。
この吊り戸の下部振止部材１は、床２に配設されるケース３と、該ケース３に上方に突出可能に収納されたガイドピン４とを備え、該ガイドピン４を突出させて吊り戸本体５の走行溝５１に挿入することによりガイドを行うように構成されている。
そして、この吊り戸の下部振止部材１は、前記ガイドピン４を２段の入れ子状の第１筒体６と第２筒体７とにより形成している。
【００１７】
ケース３は鍔部３１を備えた円筒体からなり、内周部の対向する２箇所に縦方向の有端のスリット溝８を備えている。
スリット溝８の底部には、かしめ片９が形成されており、このかしめ片９により、後述する第１筒体６の摺動突起１０の抜け止めを図っている。
【００１８】
ガイドピン４は、ケース３に直接摺動可能に収納された第１筒体６と、該第１筒体６の内部に摺動可能に収納された第２筒体７とを備えている。
第１筒体６は円筒体からなり、外周部の対向する２箇所に摺動突起１０を備えている。これらの摺動突起１０は、ケース３のスリット溝８にそれぞれ嵌入されている。また、これらの摺動突起１０の内周部側には、第２筒体７の摺動突起１０が嵌入される有端のスリット溝８が形成されており、これらのスリット溝８にも抜け止めのためのかしめ片９が形成されている。
第２筒体７は、有蓋の円筒体からなり、外周部の対向する２箇所に摺動突起１０を備えており、これらの摺動突起１０は、第１筒体６のスリット溝８にそれぞれ嵌入されている。この第２筒体７の上部には磁石１１がプッシュナット１２により固定されている。
【００１９】
一方、吊り戸本体５は、図では省略しているが、天井レールにランナーを介して走行自在に吊り下げられている。
下部振止部材１は、図２に示すように、吊り戸本体５の下端面の走行溝５１に取り付けられた鉄片等の磁性体１４と、第２筒体７に取り付けた磁石１１の引き合う作用により、吊り戸本体５が移動したときに、第２筒体７と第１筒体６が上方に突出し、吊り戸本体５の走行溝５１に自動的に挿入される。
また、下部振止部材１は、吊り戸が移動して上方に位置しなくなれば、磁石１１と磁性体１４の引き合う作用がなくなるため、第２筒体７と第１筒体６は、図１（ａ）に示すように、重力によりケース３内に退入する。
【００２０】
なお、吊り戸本体５は、下部が通常の高さにある場合は、図２（ａ）に示すように、第２筒体７のみを挿入する走行溝５１を形成することができ、また、吊り戸本体５の下部位置が低い場合は、図２（ｂ）に示すように、第２筒体７と第１筒体６とを挿入するような走行溝５１を形成することができる。
【００２１】
かくして、本実施例の吊り戸の下部振止部材１は、ガイドピン４を複数段の入れ子状の筒体により形成することから、ガイドピン４に必要なストロークと剛性を確保しながらも、ケース３を短く形成することができ、これにより、床材の厚さ（例えば、１２ｍｍ程度）の範囲に収まる浅い埋め込み孔１３でも設置できるようになり、床スラブが障害となるような建物の床にでも下部振止部材１を容易に設置することができる。
【実施例２】
【００２２】
ところで、上記実施例の吊り戸の下部振止部材においては、ケース３とガイドピン４とが同心となるようにしたが、図３〜図４に示す本発明の吊り戸の下部振止部材の第２実施例のように、ガイドピン４を、ケース３に対して偏心して配設することもできる。
これにより、ケース３を床２に設置する際に、ケース３を回転することによって、ガイドピン４の吊り戸本体５の走行溝５１に対する位置を調整することができる。
【００２３】
そして、本実施例の吊り戸の下部振止部材は、合成樹脂製のため、磁石１１を配設した第２筒体７の上部を、金属部材７１で覆うようにするとともに、ケース３に抜け止めピン１５を配設して、ガイドピン４の抜け止めを図っている。
【００２４】
さらに、本実施例の吊り戸の下部振止部材においては、ケース３を、合成樹脂等の材料で形成したアウター部材１６を介して、床２に設置するようにしている。
これにより、ケース３を床２に一旦設置した後でも、アウター部材１６内でケース３を回転することが可能となり、ケース３の設置状態が緩むことなく、ガイドピン４の吊り戸本体５の走行溝５１に対する位置調整を、容易に、かつ何度でも行うことができる。
【００２５】
なお、この第２実施例の吊り戸の下部振止部材のその他の構成は、上記第１実施例の吊り戸の下部振止部材と同様である。
【実施例３】
【００２６】
また、上記第２実施例の吊り戸の下部振止部材においては、ケース３の外周面及びアウター部材１６の内周面の平面形状を円形に形成するようにしたが、図５に示す本発明の吊り戸の下部振止部材の第３実施例のように、ケース３の外周面及びアウター部材１６の内周面の平面形状を正多角形（本実施例においては、正八角形）に形成することもできる。
これにより、アウター部材１６とケース３との位置関係を正確に保持することができ、ケース３の設置状態が緩むことなく、ガイドピン４の吊り戸本体の走行溝５１に対する位置調整を、容易に、かつ何度でも行うことができる。
【００２７】
なお、この第３実施例の吊り戸の下部振止部材のその他の構成は、上記第２実施例の吊り戸の下部振止部材と同様である。
【００２８】
以上、本発明の吊り戸の下部振止部材について、複数の実施例に基づいて説明したが、本発明の吊り戸の下部振止部材は、これらの実施例の構成に限定されるものではなく、例えば、ガイドピンを３段以上の入れ子状とするなど、その趣旨を逸脱しない範囲において適宜に変更することが可能である。
また、上記各実施例の吊り戸の下部振止部材は、金属のほか、合成樹脂等の任意の材料で形成することができる。
【産業上の利用可能性】
【００２９】
本発明の吊り戸の下部振止部材は、ガイドピンに必要なストロークと剛性を確保しながらも、ケースを短く形成することにより、床材の厚さの範囲に収まる浅い埋め込み孔で設置することができることから、鉄筋コンクリートの建物等において床スラブ等が障害となって深い埋め込み孔を形成することが困難な場合にも、特別な工事を要することなく、簡易に設置することができる。
【図面の簡単な説明】
【００３０】
【図１】本発明の吊り戸の下部振止部材の第１実施例を示し、（ａ）はガイドピンが退入した状態を示す断面図、（ｂ）はガイドピンが突出した状態を示す断面図、（ｃ）は平面図、（ｄ）は底面図である。
【図２】同吊り戸の下部振止部材の床へ設置した状態を示し、（ａ）は吊り戸本体の下部が通常の高さの場合を示す断面図、（ｂ）は吊り戸本体の下部が低い場合を示す断面図である。
【図３】本発明の吊り戸の下部振止部材の第２実施例を示し、（ａ）は平面図、（ｂ）は（ａ）のＡ−Ａ断面図、（ｃ）は（ａ）のＢ−Ｂ断面図、（ｄ）は底面図である。
【図４】同吊り戸の下部振止部材の床へ設置した状態を示す断面図である。
【図５】本発明の吊り戸の下部振止部材の第３実施例を示し、（ａ）は吊り戸の下部振止部材の平面図、（ｂ）は同正面図、（ｃ）は同底面図、（ｄ）はアウター部材の平面図、（ｅ）は同正面図、（ｆ）は同底面図である。
【符号の説明】
【００３１】
１    吊り戸の下部振止部材
２    床
３    ケース
３１  鍔部
４    ガイドピン
５    吊り戸本体
５１  走行溝
６    第１筒体
７    第２筒体
８    スリット溝
９    かしめ片
１０  摺動突起
１１  磁石
１２  プッシュナット
１３  埋め込み孔
１４  磁性体
１５  抜け止めピン
１６  アウター部材
【図１】
2005002770.tif 000003
【図２】
2005002770.tif 000004
【図３】
2005002770.tif 000005
【図４】
2005002770.tif 000006
【図５】
2005002770.tif 000007